(57)【特許請求の範囲】
【請求項１】
端末装置の内部に収容される情報保持部材であって、
充電器の認証を行い、前記充電器が認証された場合にアクセス制限を解除するアクセス制御手段と、
アクセス制限が解除された場合に前記端末装置と当該情報保持部材との間のデータのバックアップ又はリストアを制御する制御手段と、
を備える情報保持部材。
【請求項２】
前記端末装置が前記端末装置に電力を供給する前記充電器と接続しているか否かにかかわらず、前記端末装置と着脱可能に接続するコネクタ、を備える、
請求項１に記載の情報保持部材。
【請求項３】
前記充電器の認証を行うための情報を、前記端末装置を介して前記充電器から受信する通信部、をさらに備え、
前記アクセス制御手段は、受信した情報を用いて前記充電器の認証を行う、
請求項１又は請求項２に記載の情報保持部材。
【請求項４】
前記充電器の認証を行うための情報を前記充電器から直接受信する通信部、をさらに備え、
前記アクセス制御手段は、受信した情報を用いて前記充電器の認証を行う、
請求項１又は請求項２に記載の情報保持部材。
【請求項５】
充電器から供給される電力を充電する充電部と、
情報保持部材を収容するコネクタと、
前記情報保持部材による前記充電器の認証の後に、前記情報保持部材がアクセス制限を解除した場合に、当該端末装置と前記情報保持部材との間のデータのバックアップ又はリストアを制御する制御部と、
を備える端末装置。
【請求項６】
前記コネクタは、当該端末装置に電力を供給する前記充電器と接続しているか否かにかかわらず、前記情報保持部材と着脱可能に接続する、
請求項５に記載の端末装置。
【請求項７】
前記充電器が当該端末装置に接続した場合に前記充電器の認証を行うための情報を前記充電器から受信し、受信した情報を前記情報保持部材にフォワードする通信部、をさらに備える、
請求項５又は請求項６に記載の端末装置。
【請求項８】
端末装置と、
アクセス制限が解除された場合に前記端末装置との間のデータのバックアップ又はリストアを制御する情報保持部材と、
前記端末装置に電力を供給する充電器と、を備え、
前記端末装置は、前記情報保持部材を収容し、
前記情報保持部材は、前記充電器の認証を行い、前記充電器が認証された場合にアクセス制限を解除する、
自動バックアップシステム。
【発明の詳細な説明】
【技術分野】
【０００１】
本発明は、充電時にデータのバックアップを行う情報通信端末装置およびこの装置を含む自動バックアップシステムに関する。
【背景技術】
【０００２】
近年、携帯電話機などの情報通信端末装置における利用者が取り扱うデータ量の増加に伴い、バックアップ時間及び消費電力も増加する傾向にある。また、バックアップ中は携帯電話機のＣＰＵリソースも奪われる。このバックアップに関連する問題に対処すべく、従来から長時間携帯電話機を使用しない充電時に自動的にバックアップを行う方法が種々提案されている。
【０００３】
例えば、特許文献１には、充電器にバックアップ用メモリを搭載し、携帯電話機の接触を感知して携帯電話機のデータを充電器のメモリへ自動バックアップする方法が開示されている。しかしながら、特許文献１が示すバックアップ方法では、携帯電話機が充電器に接近ないし接触が検出されると、バックアップ用のデータはアクセス制御をすることなく自動的に充電器のメモリに記憶させられるため、バックアップデータに不正アクセスされるおそれがある。
【０００４】
この問題を解決する技術として、携帯電話機のＳＩＭ（Subscriber Identity Module）から利用者識別番号（以下、「ＩＤ」という）を読込み、充電器に予め記憶していたＩＤとＳＩＭ  ＩＤが一致した場合に、充電器に搭載したバックアップ用メモリにバックアップする方法が知られている（例えば、特許文献２参照）。
【特許文献１】特開２００１−２８５４５１号公報
【特許文献２】特開２００３−１８８９５４号公報
【発明の開示】
【発明が解決しようとする課題】
【０００５】
特許文献１や特許文献２が示す従来技術はいずれも、データのバックアップは充電器側のメモリで行われる。このため、利用者が、データへの不正アクセスを防止してセキュリティを確保しようとすると、携帯電話機のデータの他に、普段は所持することがない充電器にバックアップしているデータも管理する必要があり、利用者のセキュリティ管理のための負担が増加する。
【０００６】
また、充電器にバックアップ用のメモリを設けると、今後バックアップメモリ容量に対応して充電器のコストが増大し、充電器に対する低コスト化の要求と相反することとなる。さらに充電器側でバックアップする場合は、充電器は携帯電話機の機種ごとに仕様が異なることが多く、利用者が異なる仕様の携帯電話機に買い替えると従前の充電器が利用できなくなるという問題がある。
【０００７】
本発明の目的は、充電時にバックアップを行う場合において、充電器の低コスト化を維持しつつ、かつバックアップに当たってセキュリティ性能が高く、バックアップ後も利用者がセキュリティ管理し易い情報通信端末装置およびこの装置を含む自動バックアップシステムを提供することを目的とする。
【課題を解決するための手段】
【０００８】
本発明の第１の態様に係る情報保持部材は、予め記憶あるいは算出した秘匿情報と、情報通信端末装置に電力を供給している充電器から通知された秘匿情報とを照合し、一致した場合にアクセス制御を解除するアクセス制御手段と、アクセス制御を解除した後、前記情報通信端末装置との間でバックアップもしくはリストアを行う制御手段と、を具備する構成を採る。
【０００９】
本発明の第２の態様に係る充電器は、情報通信端末装置に電力を供給する電力供給手段と、電力供給中に、記憶あるいは算出した秘匿情報を用いて上記情報保持部材にアクセス制限の解除を要求するアクセス制限解除要求手段と、を具備する構成を採る。
【００１０】
本発明の第３の態様に係る情報通信端末装置は、上記充電器から供給された電力を充電する充電手段と、上記情報保持部材がアクセス制御を解除した後、前記情報保持部材との間でバックアップもしくはリストアを行う制御手段と、を具備する構成を採る。
【００１１】
本発明の第４の態様に係る自動バックアップシステムは、情報通信端末装置と、この情報通信端末装置との間でバックアップもしくはリストアを行う情報保持部材と、前記情報通信端末装置に電力を供給する充電器と、からなる自動バックアップシステムであって、前記充電器は、記憶あるいは算出した秘匿情報を前記情報通信端末装置に送信し、前記情報通信端末装置は、充電中に、前記充電器から送信された秘匿情報を用いて情報保持部材にアクセス制御の解除を要求し、前記情報保持部材は、予め記憶あるいは算出した秘匿情報と前記情報通信端末装置から通知された秘匿情報とを照合し、一致した場合にアクセス制限を解除し、前記情報通信端末装置との間でバックアップもしくはリストアを行う、構成を採る。
【００１２】
本発明の第５の態様に係る自動バックアップシステムは、情報通信端末装置と、この情報通信端末装置との間でバックアップもしくはリストアを行う情報保持部材と、前記情報通信端末装置に電力を供給する充電器と、からなる自動バックアップシステムであって、前記充電器は、電力供給中に、記憶あるいは算出した秘匿情報を用いて前記情報保持部材にアクセス制限の解除を要求し、前記情報保持部材は、予め記憶あるいは算出した秘匿情報と前記情報通信端末装置から通知された秘匿情報とを照合し、一致した場合にアクセス制限を解除し、前記情報通信端末装置との間でバックアップもしくはリストアを行う、構成を採る。
【発明の効果】
【００１３】
本発明によれば、情報通信端末装置の充電時に、充電器に記憶されたＩＤデータを用いて情報保持部材のアクセス制御機能を解除し、情報保持部材との間でデータのバックアップ等を行うことができるので、充電器の低コスト化を維持しつつ、かつバックアップに当たってセキュリティ性能を高くし、バックアップ後も利用者がセキュリティ管理し易くすることができる。
【発明を実施するための最良の形態】
【００１４】
以下、本発明の実施の形態について図面を参照して詳細に説明する。
【００１５】
（実施の形態１）
図１は、本発明の実施の形態１に係る自動バックアップシステムの模式図である。図１に示すように、本実施の形態に係るバックアップシステムは、携帯電話機１と、ＩＣカード機能付きメモリカード２と、充電器３とから主に構成される。ＩＣカード機能付きメモリカード２は、携帯電話機１内部に収容されるものであるが、理解を容易にするため、図１ではその形態を拡大して示してある。なお、ＩＣカード機能付きメモリカードとは、情報保持部材の一種であって、半導体集積回路(ＩＣチップ)を埋め込み、アクセス制御できるようにしたＩＣカードとしての機能と、大容量のデータを記憶するメモリ部とをあわせ持ったカードをいう。ＩＣカード機能付きメモリカードは、順次大容量のものが市場に投入され、またアクセス制御機能もアップワードコンパティビリティを維持しながら強化されるので、本実施の形態に係る自動バックアップシステムのバックアップ用のメモリとして好適である。
【００１６】
以下、図２ないし図５を用いて、本実施の形態に係るバックアップシステムを詳細に説明する。
【００１７】
図２は、本発明の実施の形態１に係る自動バックアップシステムの各装置の構成を示すブロック図である。図２において、携帯電話機１は、制御部１０１と、通信部１０２、１０９と、データ記憶部１０３と、転送データバッファ部１０４と、アクセス解除要求部１０５と、充電器接続検出部１０６と、充電部１０７と、カード装着検出部１０８と、コネクタ部１１０と、操作部１１１と、を有する。
【００１８】
制御部１０１は、携帯電話機１の各部を制御する。通信部１０２は、充電器３とデータの送受信を行う。データ記憶部１０３は、携帯電話機１で行う演算処理のため必要なデータ、例えばアドレス帳データを記憶し、また演算処理の結果得られるデータを記憶する。転送データバッファ部１０４は、データ記憶部１０３と連携してバックアップもしくはリストアのためのデータを一時記憶する。アクセス解除要求部１０５は、充電器３からＩＤデータを受信し、ＩＣカード機能付きメモリカード２に対してアクセス制御の解除を要求する。充電器接続検出部１０６は、利用者が携帯電話機１を充電器３の上に載せると充電器３の接続を検出する。充電部１０７は、充電器３からの電力を充電し、携帯電話機１の各部に給電する。カード装着検出部１０８は、利用者がＩＣカード機能付きメモリカード２をコネクタ部１１０に装着すると、ＩＣカード機能付きメモリカード２に通電される電流を検出して、ＩＣカード機能付きメモリカード２が装着されていることを検出する。通信部１０９は、コネクタ部１１０を介して、ＩＣカード機能付きメモリカード２とデータの送受信を行う。なお、コネクタ部１１０は、ＩＣカード機能付きメモリカード２を脱着自在に保持するとともに、ＩＣカード機能付きメモリカード２と携帯電話機１の間の信号を送受信する。またコネクタ部１１０は、充電器３からの電力をＩＣカード機能付きメモリカード２に供給する。操作部１１１は、テンキーなどで構成され、制御部１０１にユーザが入力した操作指令を出力する。
【００１９】
図２において、ＩＣカード機能付きメモリカード２は、制御部２０１と、通信部２０２と、データ記憶部２０３と、ＩＤ記憶部２０４と、制御情報記憶部２０５と、アクセス制御部２０６と、コネクタ部２０７と、を有する。
【００２０】
制御部２０１は、ＩＣカード機能付きメモリカード２の各部を制御する。通信部２０２は、携帯電話機１とデータの送受信を行う。データ記憶部２０３は、バックアップデータもしくはリストアデータを記憶する。ＩＤ記憶部２０４は、アクセス制御のためのＩＤデータを記憶する。制御情報記憶部２０５は、制御情報を記憶する。アクセス制御部２０６は、充電器３に記憶したＩＤデータとＩＤ記憶部２０４に記憶したＩＤデータを比較して、携帯電話機１とのアクセス制御を行う。コネクタ部２０７は、携帯電話機１のコネクト部１１０と連結され、通信部２０２と携帯電話機１の通信部１０９との間の信号を送受信する。
【００２１】
図２において、充電器３は、制御部３０１と、通信部３０２と、携帯電話機接続検出部３０３と、ＩＤ記憶部３０４と、制御情報記憶部３０５と、電力供給部３０６と、操作パネル部３０７と、を有する。操作パネル部３０７は、操作部３０８及び表示部３０９を有している。
【００２２】
制御部３０１は、充電器３の各部を制御する。通信部３０２は、携帯電話機１とデータを送受信する。携帯電話機接続検出部３０３は、利用者が携帯電話機１を充電器３の上に載せると、携帯電話機１の接続を検出する。ＩＤ記憶部３０４は、バックアップを行うＩＣカード機能付きメモリカード２のＩＤデータを予め記憶する。ＩＤ記憶部３０４が予め記憶しているＩＤデータは、正しいデータであれば、ＩＣカード機能付きメモリカード２のアクセス制御解除のデータとなる。制御情報記憶部３０５は、バックアップ対象となるデータの種別、バックアップ／リストア種別、バックアップタイミング等、バックアップもしくはリストアに必要な仕様を制御情報として記憶する。なお、バックアップ対象となるデータの種別としては、静止画、動画、アドレス帳、メール、スケジュール、全種別等が挙げられる。また、バックアップの仕様として「差分バックアップ」あるいは「フルバックアップ」、リストアの仕様として「上書き」あるいは「追加」が挙げられる。また、バックアップタイミングとして、携帯電話機を充電器に設置した直後、予め設定した時刻等が挙げられる。
【００２３】
電力供給部３０６は、携帯電話機１に対し電力を供給する。操作パネル部３０７は、利用者が操作部３０８と表示部３０９を利用し易いよう充電器３の正面部分に配置される。操作部３０８は、利用者の操作により制御部３０１に必要な操作指令を出力する。表示部３０９は、データを表示する。
【００２４】
図３は、充電器３の操作パネル部３０７の模式図である。操作部３０８は、機能切替スイッチ３１０、３１１と、選択キー３１２と、表示切替キー３１３を有する。表示部３０９は、操作部３０８の上部に配置されている。
【００２５】
次に、操作パネル部３０７を使用して充電器３のＩＤ記憶部３０４にＩＤデータを記憶させる方法について説明する。最初利用者は、表示切替キー３１３を操作して、表示部３０９に「０」から「９」の数値を表示する。利用者は、機能切替キー３１０若しくは３１１を使用してカーソルを移動させ、「０」から「９」の数値からいずれかを選んでＩＤデータの第１桁を指定する。この状態で、利用者が選択キー３１２を押圧すると、ＩＤデータの第１桁が選択される。以下、利用者は順にＩＤデータの第２桁から最終桁まで入力した後、最終桁入力時には選択キー３１２を、他の桁の入力時よりも長時間押圧して、ＩＤデータをＩＤ記憶部３０４に記憶する。
【００２６】
次に、制御情報記憶部３０５に制御情報を記憶させる方法について説明する。制御情報は、自動バックアップシステムの仕様に応じて色々設定できるが、今、対象データ種別として、利用者が携帯電話機１のデータ記憶部１０３の全データをバックアップする「全バックアップ」と、携帯電話機１のデータ記憶部１０３の所定範囲のデータのみをバックアップする「一部バックアップ」が予め定められていたとする。全データをバックアップする場合には、利用者は表示切替キー３１３を使用して表示部３０９に「全バックアップ」を表示させた後、選択キー３１２を長時間押圧して、データ記憶部１０３の全データのバックアップする旨を指定する。このように利用者が全データのバックアップが指定し選択キー３１２の長時間押圧すると、これに応じて、制御情報記憶部３０５は「全データのバックアップ」を制御情報として記憶する。
【００２７】
利用者が「一部バックアップ」を指定する場合は、利用者は表示切替キー３１３を使用して表示部３０９に「一部バックアップ」を表示させた後、選択キー３１２を長時間押圧して、データ記憶部１０３の一部データのバックアップする旨を指定する。なお、この場合、一部バックアップするべき携帯電話機１のデータ記憶部１０３のバックアップ対象（エリア）の先頭アドレスおよびバックアップ容量は、予め定まっているものとする。このように利用者が一部データのバックアップが指定し選択キー３１２の長時間押圧すると、これに応じて、制御情報記憶部３０５は「一部バックアップをするべき、データ記憶部１０３の先頭アドレスとバックアップするデータ容量」を制御情報として記憶する。なお、一部バックアップするべきアドレスを複数エリア設定可能とするためには「一部バックアップのエリア１」「一部バックアップのエリア２」のようにバックアップ対象エリアを複数個予め設け、複数エリアが表示部３０９と表示切替キー３１３とにより選択可能としてもよい。
【００２８】
また、「バックアップ／リストア種別」を制御情報として指定するためには、利用者は表示切替キー３１３を使用して表示部３０９に「バックアップ」若しくは「リストア」を表示させた後、選択キー３１２を長時間押圧して、バックアップ若しくはリストアの種別を指定する。このように利用者がバックアップ若しくはリストアを指定し選択キー３１２の長時間押圧すると、これに応じて、制御情報記憶部３０５は「バックアップ」若しくは「リストア」を制御情報として記憶する。
【００２９】
このように、利用者は充電器３の操作パネル部３０７を利用して、ＩＤ記憶部３０４にＩＤデータを記憶するとともに、制御情報記憶部３０５に所望の制御情報を記憶し、自動バックアップシステムの仕様を設定する。
【００３０】
次に、図４のシーケンス図に基づき、実施の形態１に係る自動バックアップシステムの動作を説明する。なお、図４において、充電器３には、ＩＤデータと制御情報が予め利用者により設定されているものとする。
【００３１】
利用者が、充電のため携帯電話機１を充電器３に近づけると、携帯電話機１の通信部１０２と充電器３の通信部３０２との間に、近接伝送により通信経路が形成される。この通信経路形成に伴い、携帯電話機１の充電器接続検出部１０６は充電器３の接続を検出し、充電器３の携帯電話機接続検出部３０３は携帯電話機１を検出する（Ｓ４０１）。これにより、携帯電話機１と充電器３は通信状態となる。これと同時に充電器３の電力供給部３０６と携帯電話機１の充電部１０７が接近し、充電部１０７は電力供給部３０６から電力の供給を受け充電し、充電した電力を携帯電話機１の各部に供給する。これにより、携帯電話機１およびＩＣカード機能付きメモリカード２は、電気的に安定した状態で、バックアップ動作を行うことができる。
【００３２】
次に、携帯電話機１の制御部１０１は、通信部１０２を介して、充電器３に対しＩＤの送信を要求する（Ｓ４０２）。充電器３の制御部３０１は、ＩＤ記憶部３０４に記憶しているＩＤデータを、送信部３０２を介して、携帯電話機１の制御部１０１に送信する（Ｓ４０３）。携帯電話機１の制御部１０１は、受信したＩＤデータをアクセス解除要求部１０５に出力する。アクセス解除要求部１０５は、受信したＩＤデータが所定のフォーマットで構成されているか等の受信データの正当性チェックを行う（Ｓ４０４）。
【００３３】
次に、アクセス解除要求部１０５で受信データの正当性が確認されると、制御部１０１は、通信部１０２を介して、充電器３に対し制御情報の送信を要求する（Ｓ４０５）。充電器３の制御部３０１は、通信部３０２を介して、制御情報を送信する（Ｓ４０６）。これにより、携帯電話機１とＩＣカード機能付きメモリカード２との間では、アクセス制御の準備が整う。
【００３４】
次に、携帯電話機１のアクセス解除要求部１０５は、ステップＳ４０３で受信したＩＤデータを含むアクセス制御解除要求信号を、通信部１０９を介して、ＩＣカード機能付きメモリカード２に送信する（Ｓ４０７）。
【００３５】
次に、アクセス制御解除要求信号を受信したＩＣカード機能付きメモリカード２のアクセス制御部２０６は、アクセス制御解除要求信号に含まれるＩＤデータと、ＩＤ記憶部２０４に記憶している自己のＩＤデータとの一致を判定する（Ｓ４０８）。アクセス制御部２０６は、一致と判定すると、アクセス制御解除通知信号を、通信部２０２およびコネクタ部２０７を介して、携帯電話機１の制御部１０１に出力する（Ｓ４０９）。これに伴い、ＩＣカード機能付きメモリカード２は、携帯電話機１に対しバックアップおよびリストアのアクセス制御を解除する。
【００３６】
次に、携帯電話機１の制御部１０１は、ステップＳ４０６で受信した制御情報を解析する（Ｓ４１０）。次に、携帯電話機１の制御部１０１は、制御情報の解析結果がバックアップを指示する場合は、データ記憶部１０３に記憶されたデータの一部若しくは全部を転送データバッファ部１０４に一時記憶する。その後転送データバッファ部１０４は、ＩＣカード機能付きメモリカード２と同期を取ったうえで一時記憶したデータを、通信部１０９を介して、ＩＣカード機能付きメモリカード２のデータ記憶部２０３に出力し、バックアップする（Ｓ４１１）。携帯電話機１の制御部１０１は、ステップＳ４０６で受信した制御情報がリストアを指示している場合は、ＩＣカード機能付きメモリカード２から出力されたデータを、転送データバッファ部１０４に一時記憶した後、データ記憶部１０３の所定エリアにリストアする（Ｓ４１１）。以上のように、データのバックアップ若しくはリストアが終了すると、ＩＣカード機能付きメモリカード２は、アクセス制御状態に復帰する（Ｓ４１２）。
【００３７】
このように、本実施の形態によれば、充電時にバックアップを行う場合において、充電器３に記憶されたアクセス制御の解除データに基づいてＩＣカード機能付きメモリカード２のアクセス制御機能を解除し、ＩＣカード機能付きメモリカードとの間でデータのバックアップ等を行う。これにより、ＩＣカード機能付きメモリカード２は、アクセス制御部２０６を有しているので、所定のＩＤデータを入力するアクセス権限を有する利用者以外のアクセスは不可能となり、セキュリティ性能を高く維持することができる。
【００３８】
また、ＩＣカード機能付きメモリカード２にデータバックアップを行うことにより充電器３にはデータバックアップのためのメモリを設ける必要が無い。従って、今後携帯電話機のデータ記憶部１０３の容量が増加した場合も、データバックアップのために充電器３のコストが増加することはない。
【００３９】
なお、本実施の形態においては、携帯電話機１と充電器３との間で、通信部１０２、通信部３０２間、および充電部１０７、電力供給部３０６間においては近接伝送によりデータ伝送および電力伝送が行われるようにしたが、これはごみなどによる不具合を回避するためであり、このような不具合が問題とならない場合は、携帯電話機１と充電器３とをコネクタ部で連結してもよい。
【００４０】
また、本実施の形態では、充電器３のＩＤ記憶部３０４にＩＤデータを記憶するに当たって、操作パネル部３０７を利用してＩＤデータを１桁毎に入力する例を説明したが、本発明ではＩＤデータの入力方法について限定はない。例えば、ＩＣカード機能付きメモリカード２のＩＤデータと充電器３のＩＤデータが共通のデフォルト値に設定されるともにＩＣカード機能付きメモリカード２と充電器３が一対で販売され、これを購入した利用者が携帯電話機１に新たなＩＤデータ入力した後、ＩＣカード機能付きメモリカード２が装着された携帯電話機１を充電器３上に置くと、新たなＩＤデータがＩＣカード機能付きメモリカード２のＩＤ記憶部２０４および充電器３のＩＤ記憶部３０４に記憶されるようにしてもよい。このように予め記憶されたデフォルト値を利用してＩＤデータを記憶するようにすれば、ＩＤデータの設定のためには図３で示す操作パネル部３０７は設ける必要はない。
【００４１】
また、充電器３のＩＤ記憶部３０４に記憶されるＩＤデータは単一ではなく、複数記憶するようにしてもよい。このようにすれば、充電器３が記憶する複数のＩＤデータのいずれかと一致するＩＤデータを有する複数の携帯電話機のバックアップ操作を行うことができる。このように複数のＩＤデータを記憶させる場合には、追加のＩＤデータの設定に先立ち、既に記憶されている先行ＩＤデータの入力を必要とするなど、セキュリティ確保を十分に行う必要がある。このようなＩＤデータの追加、あるいはＩＤデータの変更において先行ＩＤデータを必要とするための技術自体は、周知で慣用されている技術が採用可能であるので詳細な説明は行わない。なお、本発明では、さらに高度な暗号技術を利用してアクセス制御をすることも可能である。例えば、ＩＤデータの代わりに充電器３とＩＣカード機能付きメモリカード２に秘密鍵を記憶し、充電器３とＩＣカード機能付きメモリカード２との間でチャレンジ‐レスポンス認証を行うことで、よりセキュリティを向上することができる。このような暗号技術についても、周知で慣用されている技術が採用可能であるので詳細な説明は行わない。
【００４２】
また、ＩＤデータを用いてセキュリティを確保するには、ＩＤデータの桁数を多くし、かつアルファベットなど記号も含む高度なデータを用い、かつ所定期間ごとには変更することが望ましい。この高度なデータの設定を実施の形態１の操作パネル部３０７のみ行うのは、利用者にとって大きな負担となる。一方携帯電話機などの情報通信端末装置は、豊富な機能を有するキーボード装置を有するので、携帯電話機の利用者が、高度なデータ構成の新たなＩＤデータの簡単に構成できる。してみれば、充電器３単独で設定するＩＤデータは、当初桁数の少ない簡単なものとし、この簡単なＩＤデータを利用して、その後携帯電話機１で作成した高度なデータをＩＤデータするようＩＤデータの更新を可能とするともできる。このようなＩＤデータを更新する技術を利用すれば、充電器３にＩＤデータを設定するための操作パネル部３０７などを備える必要がなく、当初ＩＤデータを記憶させるための構成は簡単なもので済み、従って充電器３を安価に実現できる。また、携帯電話機にそのユーザインタフェースを用いた制御情報を予め記載しておくことにより、充電器３に制御情報を設定するための操作パネル部３０７などを備える必要がない。
【００４３】
（実施の形態２）
図５は、本発明の実施の形態２に係る自動バックアップシステムの各装置の構成を示すブロック図である。なお、図５において図２と共通するブロックについては、図２と同一の参照番号を付して詳しい説明を省略する。実施の形態２に係る自動バックアップシステムは、ＩＣカード機能付きメモリカード２２が非接触型カードであり、ＩＣカード機能付きメモリカード２２は充電器３２からＩＤデータを直接受信し、アクセス制御を行う点に特徴がある。
【００４４】
図５において、携帯電話機１２は、図２の携帯電話機１と比較して、通信部１０２、アクセス解除要求部１０５および充電器接続検出部１０６が削除されている。同様に、充電器３２も、図２の充電器２と比較して、通信部３０２および携帯電話接続検出部３０３が削除されている。本実施の形態においては、携帯電話機１２と充電器３２が直接通信する必要がないためである。
【００４５】
図５において、ＩＣカード機能付きメモリカード２２は、図２のＩＣカード機能付きメモリカード２と比較して、対充電器通信部２２１を追加した構成を採る。対充電器通信部２２１は、アンテナを有し、携帯電話機１２に装着された状態で携帯電話機１２と充電器３２とが接近すると、非接触で充電器３２と通信を行う。
【００４６】
図５において、充電器３２は、図２の充電器３と比較して、ＩＣカード機能付きメモリカード２２に対してアクセス制御の解除を要求するアクセス解除要求部３２１と、ＩＣカード機能付きメモリカード２２と通信を行う対カード通信部３２２と、を追加した構成を採る。携帯電話機１のアクセス解除要求部３２１は、ＩＤ記憶部に記憶されたＩＤデータを含むアクセス制御解除要求信号を、対カード通信部３２２を介して、ＩＣカード機能付きメモリカード２２に送信する。対カード通信部３２２は、アンテナを有し、ＩＣカード機能付きメモリカード２２が接近すると、アクセス制御解除要求信号と制御情報を送信する。
【００４７】
次に、図６のシーケンス図に基づき、実施の形態２に係る自動バックアップシステムの動作を説明する。なお、図６において、図４と共通のステップについては図４と同一の参照符号を付して、詳しい説明は省略する。
【００４８】
利用者が、充電のため携帯電話機１２を充電器３２に近づけると、非接触ＩＣカード機能付きメモリカード２２の対充電器通信部２２１と充電器３２の対カード通信部３２２との間に通信経路が形成され、充電器３２は、非接触ＩＣカード機能付きメモリカード１２を検知する（Ｓ６０１）。
【００４９】
次に、充電器３２のアクセス解除要求部３２１は、ＩＤ記憶部３０４からＩＤデータを読み出し、このＩＤデータを含むアクセス制御解除要求信号をＩＣカード機能付きメモリカード２２に送信する（Ｓ６０２）。
【００５０】
次に、充電器３２の制御部３０１は、制御情報記憶部３０５から制御情報を読み出し、この制御情報をＩＣカード機能付きメモリカード２２に送信する（Ｓ６０３）。ＩＣカード機能付きメモリカード２２の制御情報記憶部２０５は、充電器３２から送信された制御情報を記憶する。
【００５１】
次に、ＩＣカード機能付きメモリカード２２のアクセス制御部２０６は、充電器３２から送信されたＩＤデータとＩＤ記憶部２０４に記憶していた自己のＩＤデータとを比較し、一致するとアクセス制御を解除する（Ｓ６０４）。不一致の場合は、アクセス制御は解除されない。
【００５２】
次に、ＩＣカード機能付きメモリカード２２は、アクセス制御を解除した場合には、制御情報記憶部２０５に記憶していた制御情報を携帯電話機１２に送信する（Ｓ６０５）。これにより、携帯電話機１２は、バックアップ若しくはリストアの準備が整う。
【００５３】
次に、ＩＣカード機能付きメモリカード２２がアクセス制御の解除通知を携帯電話機１２にすると、以下図２で示したステップＳ４０９ないしＳ４１２が行われ、携帯電話機１２、ＩＣカード機能付きメモリカード２２間のバックアップ若しくはリストアが実行される。
【００５４】
以上のように実施の形態２に係る自動バックアップシステムによれば、ＩＣカード機能付きメモリカード２２はアンテナを内蔵する非接触型カードとしたので、携帯電話機にＩＣカード機能付きメモリカードによるアクセス制御機能を組み込むにあたって、携帯電話機本体の改造のための変更は最小限に抑えることができ、携帯電話機本体を安価に製造でき、アクセス制御機能の更新をする際もフレキシビリティを高くすることができる。
【産業上の利用可能性】
【００５５】
本発明は、充電時にデータのバックアップを行う情報通信端末装置に用いるに好適である。
【図面の簡単な説明】
【００５６】
【図１】本発明の実施の形態１に係る自動バックアップシステムの模式図
【図２】本発明の実施の形態１に係る自動バックアップシステムの各装置の構成を示すブロック図
【図３】本発明の実施の形態１に係る充電器の操作パネル部を示す図
【図４】本発明の実施の形態１に係る自動バックアップシステムの動作を示すシーケンス図
【図５】本発明の実施の形態２に係る自動バックアップシステムの各装置の構成を示すブロック図
【図６】本発明の実施の形態２に係る自動バックアップシステムの動作を示すシーケンス図
【図１】
0004833224.tif 000002
【図２】
0004833224.tif 000003
【図３】
0004833224.tif 000004
【図４】
0004833224.tif 000005
【図５】
0004833224.tif 000006
【図６】
0004833224.tif 000007